(57)【要約】【課題】適正なカラー基準データを取得することができる画像読取装置を提供すること。【解決手段】画像読取装置１は、原稿読取面となる原稿配置面３に近接して設けられた光シャッタ部１００と、光シャッタ部１００の光シャッタ駆動回路４０と、原稿読取面に向って光を照射する光源５０と、光源５０からの反射光を集光する集光レンズ６０と、集光レンズで集光された光を受光する受光部７０と、から概略構成されている。【選択図】図１
2011010026.tif 000002
【特許請求の範囲】
【請求項１】
第１の電極を備え、透光性を有する第１の基板と、
前記第１の基板と所定の間隔を設けて対向して配置され、第２の電極を備えた第２の基板と、
前記第１及び第２の基板間に封入され、互いに色が異なる所定の帯電極性を有する複数種類の粒子群と、
前記第１及び第２の電極間に電圧を制御して印加する制御部と、
前記第２の基板側から前記第１の基板の前記原稿読取面に向って光を照射する光源と、
前記光源からの反射光を集光する集光レンズと、
前記集光レンズで集光された光を受光する受光部と、を有し、
前記第１の電極は、前記第１の基板上において前記光源から照射される光の光路上に設けられていると共に、前記第２の電極は、前記光源からの反射光の光路を遮らない位置で前記第２の基板上に設けられていることを特徴とする画像読取装置。
【請求項２】
前記制御部は、前記原稿の読取り時には前記複数種類の粒子群のすべてを前記第１の電極から前記第２の電極へ移動させる制御を行ない、カラー基準データの取得時には前記複数種類の粒子群のうちの少なくとも１種類の粒子を前記第１の電極に移動させる制御を行なうことを特徴とする請求項１に記載の画像読取装置。
【請求項３】
前記第１の電極は、前記反射光の前記光路の一部を遮らない位置で前記第１の基板上に設けられていることを特徴とする請求項１または２に記載の画像読取装置。
【請求項４】
前記第１の電極および第２の電極は、透明電極であることを特徴とする請求項１または２に記載の画像読取装置。
【請求項５】
前記集光レンズは、前記原稿の読取り幅に亘って複数のロッドレンズを有するロッドレンズアレイであることを特徴とする請求項１または２に記載の画像読取装置。
【請求項６】
前記第１の基板および前記第２の基板は、それぞれ交番電界を発生させる補助電極を有することを特徴とする請求項１または２に記載の画像読取装置。
【請求項７】
前記制御部は、前記第１及び第２の電極間に交流電圧を制御して印加することを特徴とする請求項１または２に記載の画像読取装置。
【発明の詳細な説明】
【技術分野】
【０００１】
本発明は、画像読取装置に関する。
【背景技術】
【０００２】
従来、画像読取装置では、白色の反射板を用いて装置内の読取装置に画像を読み取らせ、この読取値を基準にシェーディング補正（画像濃度補正）を行なっていた。
【０００３】
例えば、光源と、レンズと、撮像素子を搭載したセンサ基板と、第１の偏光板と、第１の偏光板に対向して偏光方向の異なる第２の偏光板と、第１の偏光板と第２の偏光板に挟まれて設置された液晶モジュールと、撮像素子で光電変換された出力を信号処理する信号処理手段と、光源、液晶モジュール、センサ基板を収納する筐体とを備え、原稿読み取り前に、液晶モジュールの電極に電圧を印加し、第２の偏光板で光を反射させ、その反射光を撮像素子で受光し、この光電変換出力を明時シェーディング補正用データとして信号処理手段の記憶回路に格納する（例えば、特許文献１参照）。
【０００４】
この特許文献１の画像読取装置は、上記示した補正用データを基に、構成要素の白基準レベルを制御することにより、画像読取装置のシェーディング補正を行なうものである。
【先行技術文献】
【特許文献】
【０００５】
【特許文献１】特開２００６−２１１２３４号公報
【発明の概要】
【発明が解決しようとする課題】
【０００６】
本発明の目的は、適正なカラー基準データを取得することができる画像読取装置を提供する。
【課題を解決するための手段】
【０００７】
上記目的を達成するため、本発明の一態様は、以下の画像表示装置を提供する。
【０００８】
［１］第１の電極を備え、透光性を有する第１の基板と、前記第１の基板と所定の間隔を設けて対向して配置され、第２の電極を備えた第２の基板と、前記第１及び第２の基板間に封入され、互いに色が異なる所定の帯電極性を有する複数種類の粒子群と、前記第１及び第２の電極間に電圧を制御して印加する制御部と、前記第２の基板側から前記第１の基板の前記原稿読取面に向って光を照射する光源と、前記光源からの反射光を集光する集光レンズと、前記集光レンズで集光された光を受光する受光部と、を有し、前記第１の電極は、前記第１の基板上において前記光源から照射される光の光路上に設けられていると共に、前記第２の電極は、前記光源からの反射光の光路を遮らない位置で前記第２の基板上に設けられていることを特徴とする画像読取装置。
【０００９】
［２］前記制御部は、前記原稿の読取り時には前記複数種類の粒子群のすべてを前記第１の電極から前記第２の電極へ移動させる制御を行ない、カラー基準データの取得時には前記複数種類の粒子群のうちの少なくとも１種類の粒子を前記第１の電極に移動させる制御を行なうことを特徴とする上記［１］に記載の画像読取装置。
【００１０】
［３］前記第１の電極は、前記反射光の前記光路の一部を遮らない位置で前記第１の基板上に設けられていることを特徴とする上記［１］または［２］に記載の画像読取装置。
【００１１】
［４］前記受光部は、密着型イメージセンサであることを特徴とする上記［１］または［２］に記載の画像読取装置。
【００１２】
［５］前記集光レンズは、前記原稿の読取り幅に亘って複数のロッドレンズを有するロッドレンズアレイであることを特徴とする上記［１］または［２］に記載の画像読取装置。
【００１３】
［６］前記第１の基板および前記第２の基板は、それぞれ交番電界を発生させる補助電極を有することを特徴とする上記［１］または［２］に記載の画像読取装置。
【００１４】
［７］前記制御部は、前記第１及び第２の電極間に交流電圧を制御して印加することを特徴とする上記［１］または［２］に記載の画像読取装置。
【発明の効果】
【００１５】
請求項１記載の発明によれば、複数種類の粒子群を封入した光シャッタにより、白色または他の色を表示でき、これを光源からの反射光を集光レンズで受光部に受光することにより、適正なカラー基準データを取得することができる。
請求項２記載の発明によれば、原稿の読取りが可能であると共に、カラー基準データの取得が可能となる。
請求項３記載の発明によれば、第１の電極の透過率に起因する光透過率の減少を抑制することができる。
請求項４記載の発明によれば、装置の小型化が可能となる。
請求項５記載の発明によれば、原稿の２次元画像データが本発明を有しない場合に比して容易に取得できる。
請求項６記載の発明によれば、各電極間に交流電圧を印加して交番電界を発生させることができる。
請求項７記載の発明によれば、粒子群を振動させながら第１の電極に移動させ、または、第１の電極から拡散させることができるので、本発明の構成を有しない場合に比して粒子群の高速移動が可能となる。
【図面の簡単な説明】
【００１６】
【図１】本発明の第１の実施の形態に係る画像読取装置の要部側面図（断面図）である。
【図２】本発明の第１の実施の形態に係る画像読取装置の光シャッタ部の詳細図である。
【図３】図３（ａ）〜（ｃ）は、本発明の第１の実施の形態に係る画像読取装置の光シャッタ部の断面図である。
【図４】本発明の第２の実施の形態に係る画像読取装置の光シャッタ部の断面図である。
【図５】本発明の第３の実施の形態に係る画像読取装置の光シャッタ部の断面図である。
【図６】本発明の第４の実施の形態に係る画像読取装置の光シャッタ部の断面図である。
【図７】図７（ａ）〜（ｃ）は、本発明の第５の実施の形態に係る画像読取装置の光シャッタ部の断面図である。
【図８】本発明の実施の形態に係る画像読取装置のシェーディング補正動作、画像読取動作を示すフローチャートである。
【発明を実施するための形態】
【００１７】
［第１の実施の形態］
（全体の構成）
本発明の第１の実施の形態に係る画像読取装置１は、図１に示すように、原稿読取面となる原稿配置面３に近接して設けられた光シャッタ部１００と、光シャッタ部１００の光シャッタ駆動回路４０と、原稿読取面に向って光を照射する光源５０と、光源５０からの反射光を集光する集光レンズ６０と、集光レンズで集光された光を受光する受光部７０と、から概略構成されている。その他、色基準データを格納するデータ格納部８０、原稿読取りデータを補正して原稿諧調データを算出するデータ処理部９０を備える。
【００１８】
光シャッタ部１００は、第１の電極である表面電極１１を備え、透光性を有する第１の基板である表面基板１０と、表面基板１０と所定の間隔を設けて対向して配置され、第２の電極である裏面電極２１ａ、２１ｂを備えた透光性を有する第２の基板である裏面基板２０と、表面基板１０と裏面基板２０との間に封入され、互いに色が異なる所定の帯電極性を有する複数種類の粒子群３０とを有して構成されている。
【００１９】
表面基板１０と裏面基板２０は、透光性を有する例えばガラス基板を用いることができ、粒子群３０が封入される側にそれぞれ表面電極１１、裏面電極２１ａ、２１ｂが形成されている。表面電極１１は、表面基板１０の略中央付近にＩＴＯ（Indium-Tin Oxide）による透明電極として形成されている。裏面電極２１ａ、２１ｂは、光源５０からの反射光の光路を遮らない位置にＩＴＯによる透明電極として形成されている。すなわち、光源５０からの反射光は、後述する集光レンズ６０の光軸を通り受光部７０に集光されるが、裏面基板２０上でその集光される光路を遮らない位置にＩＴＯによる透明電極として形成される。尚、裏面電極２１ａ、２１ｂは集光される光路の全部を遮らない位置、また、光路の一部を遮らない位置に形成されていればよい。好ましくは、図１等に示すように、光量分布の多い光軸を中心とした領域の両側に配置されてＩＴＯ部分が形成された構成とする。
【００２０】
図１、２等に示す光シャッタ部１００の内部は、複数種類の粒子群３０が密封された状態で気体と共に封入されている。尚、光シャッタ部１００の内部は真空または流体で満たされた状態としても本実施の形態は実施可能である。
【００２１】
本実施の形態では、複数種類の粒子群３０は、白色の粒子群３０Ｗと色粒子群３０Ｍの２種類である。色粒子群３０Ｍは、白色以外の有彩色の粒子群であればよく、例えば、マゼンタである。
【００２２】
白色の粒子群３０Ｗ、色粒子群３０Ｍは、プラスまたはマイナスの電荷を一時的に保持できる材料であれば良く、金属材料、有機材料、非有機材料、セラミックス、またはこれらの複合材料からなる粒子から成るものであっても良い。また、非電気的な付着力を低減するために好ましくは１μｍ以上の粒径が好ましく、数十ｎｍ程度の微粒子により外添処理を施し、流動性が改善されていることが好ましい。
【００２３】
白色の粒子群３０Ｗは、チタン酸バリウム微粒子を含有し、外添剤によりマイナス帯電した、例えば粒径が約２０μｍ程度の粒子であれば良い。また、色粒子群３０Ｍは、白意外に着色された、例えば粒径が約２０μｍ程度でプラスの帯電性を有する非導電性の球状ポリマー粒子を用いても良い。
【００２４】
光シャッタ駆動回路４０は、交流（ＡＣ）電源および直流（ＤＣ）電源を備え、出力として直流電圧、交流電圧、ＤＣ成分にＡＣ成分が重畳された交流電圧を出力する。図２に示すように、本実施の形態では、表面電極１１、裏面電極２１ａ、２１ｂの３系統の出力を独立して出力できる電源を使用する。必要に応じて、各電極（表面電極１１、裏面電極２１ａ、２１ｂ）をプラス電圧（＋）、マイナス電圧（−）、高インピーダンス（Ｈｉ−Ｚ）、グランド（Ｇ）に設定でき、また、各電極間に交流電圧を印加しても良い。
【００２５】
光源５０は筐体２内に配置して固定され、ＬＥＤ光源、キセノン管等の光源を使用する。ＬＥＤ光源は、Ｒ、Ｇ、Ｂの三原色それぞれのＬＥＤ光を含んだ白色であることが好ましい。光源５０は、Ｒ、Ｇ、Ｂの三原色のそれぞれの光強度を制御することにより、シェーディング補正時の白レベル、またはカラー基準データの読取り色を光シャッタ部１００の方向に照射する。尚、黒レベルの基準データの読取り時には光源５０は光を照射しない。
【００２６】
集光レンズ６０は筐体２内に配置して固定され、読み取る原稿の搬送方向に直角方向（用紙幅方向）に複数のロッドレンズがアレイ状に結合して構成されたロッドレンズアレイが使用される。ロッドレンズアレイをそれぞれ構成するロッドレンズは、１対１の光学系であり、光源５０から照射された光の原稿からの反射光または表面電極１１上に移動した粒子群３０からの反射光を後述する受光部７０に集光する。
【００２７】
受光部７０は筐体２内に配置して固定され、ロッドレンズアレイに対応して設けられたフォトダイオードアレイ等の光電変換素子が使用される。尚、原稿４上の像をセンサ画素上に１対１の大きさで結像させて使うためのセンサを密着型イメージセンサといい、光源５０、集光レンズ６０、受光部７０を一体化してＣＩＳ(Contact Image Sensor)モジュールといわれる。
【００２８】
（画像読取装置１の作用）
図２は、第１の実施の形態に係る画像読取装置の光シャッタ部の詳細図であり、表面電極１１にプラス電圧が印加されて白色の粒子群３０Ｗが付着し、一方、裏面電極２１ａにはマイナス電圧が印加されて色粒子群３０Ｍが付着している様子を示している。
【００２９】
原稿４を読取る際には、図３（ａ）に示すように、白色の粒子群３０Ｗおよび色粒子群３０Ｍを表面電極１１から退避させる。このため、裏面電極２１ａにプラス電圧を印加して白色の粒子群３０Ｗを付着させ、一方、裏面電極２１ｂにマイナス電圧印加して色粒子群３０Ｍを付着させる。上記の粒子移動操作は、白色の粒子群３０Ｗおよび色粒子群３０Ｍが移動前にどの電極にあっても付着していた電極との付着力以上の静電力を発生させる電界をかければよい。尚、粒子を付着させない表面電極１１は、図３（ａ）では、高インピーダンス（Ｈｉ−Ｚ）としてオープン端子としているが、裏面電極２１ａまたは裏面電極２１ｂから粒子を移動させて付着させない程度のプラスまたはマイナスの電圧が印加された状態であってもよい。
【００３０】
光源５０から原稿４に向けて照射した光の反射光は図示省略した集光レンズ６０で受光部７０に集光されて画像データを取得する。尚、原稿読取り時は、原稿４を原稿配置面３上で副走査方向に搬送すると共に、主走査方向（原稿紙幅方向）に受光部７０に入力された画像データを順次転送して、原稿４の２次元画像のデータを取得する。
【００３１】
白基準データを取得する際には、図３（ｂ）に示すように、白色の粒子群３０Ｗを表面電極１１に付着させ、その他の粒子を裏面電極２１ａまたは２１ｂに付着させる。表面電極１１にプラス電圧を印加して白色の粒子群３０Ｗを付着させ、一方、裏面電極２１ｂにマイナス電圧を印加して色粒子群３０Ｍを付着させる。色粒子群３０Ｍは、表面電極１１に移動して付着しなければよく、裏面電極２１ａにマイナス電圧を印加するようにしてもよい。
【００３２】
光源５０から表面電極１１に向けて照射した光は、表面電極１１に付着した白色の粒子群３０Ｗにより反射し、この反射光は図示省略した集光レンズ６０で受光部７０に集光されて白基準データが取得される。
【００３３】
色基準データを取得する際には、図３（ｃ）に示すように、色粒子群３０Ｍを表面電極１１に付着させ、その他の粒子を裏面電極２１ａまたは２１ｂに付着させる。表面電極１１にマイナス電圧を印加して色粒子群３０Ｍを付着させ、一方、裏面電極２１ａにプラス電圧を印加して白色の粒子群３０Ｗを付着させる。白色の粒子群３０Ｗは、表面電極１１に移動して付着しなければよく、裏面電極２１ｂにプラス電圧を印加するようにしてもよい。
【００３４】
光源５０から表面電極１１に向けて照射した光は、表面電極１１に付着した色粒子群３０Ｍにより反射し、この反射光は図示省略した集光レンズ６０で受光部７０に集光されて色基準データが取得される。例えば、色粒子群３０Ｍがマゼンタ（Ｍ）の場合はマゼンタの色基準データが取得される。尚、色粒子群３０Ｍは、イエロー（Ｙ）、シアン（Ｃ）、クロ（Ｋ）、レッド（Ｒ）、グリーン（Ｇ）、ブルー（Ｂ）、その他の色粒子であってもよい。
【００３５】
［第２の実施の形態］
本発明の第２の実施の形態に係る画像読取装置１は、図４に示すように、表面電極１１の一部、特に、光源５０からの照射光、または、原稿４からの反射光の光路上に電極部が形成されず、空乏部１２がある構成となっており、その他の構成は第１の実施の形態と同様である。すなわち、表面電極１１は、光路の一部を遮らない位置で表面基板１０上に設けられている。空乏部１２は、表面基板１０上に表面電極１１を形成する工程において、空乏部１２となる領域にマスクを施した後に表面電極１１を形成することにより作製できる。尚、空乏部１２は、その領域に表面電極１１が全く形成されない場合以外に、他の領域よりも肉薄状態で表面電極１１が形成されていてもよい。
【００３６】
［第３の実施の形態］
本発明の第３の実施の形態に係る画像読取装置１は、図５に示すように、粒子群３０として、マゼンタ（Ｍ）色の色粒子群３０Ｍとイエロー（Ｙ）色の色粒子群３０Ｙ、および、白色の粒子群３０Ｗの３種類が光シャッタ部１００の内部に封入されている。その他の構成は第１の実施の形態と同様である。
【００３７】
マゼンタ（Ｍ）色の色粒子群３０Ｍとイエロー（Ｙ）色の色粒子群３０Ｙは、共にプラスの帯電性を有するように構成されるが、帯電量が異なる。外添剤の外添量を異ならせることにより、例えば、イエロー（Ｙ）色の色粒子群３０Ｙのプラスの帯電量をマゼンタ（Ｍ）色の色粒子群３０Ｍのプラスの帯電量よりも大きく設定している。
【００３８】
図５では、表面電極１１にマイナス電圧が印加されて色粒子群３０Ｍおよび色粒子群３０Ｙが付着し、一方、裏面電極２１ａにはプラス電圧が印加されて白色の粒子群３０Ｗが付着している様子を示している。この状態では、表面電極１１上のイエロー（Ｙ）とマゼンタ（Ｍ）の混合色であるレッド（Ｒ）の反射光となる。
【００３９】
図５の状態から、例えば、裏面電極２１ｂに、弱いマイナス電圧を印加することにより、プラスの帯電量の大きなイエロー（Ｙ）色の色粒子群３０Ｙのみが裏面電極２１ｂに向って移動し付着する。これにより、表面電極１１上はマゼンタ（Ｍ）色の色粒子群３０Ｍのみとなり、マゼンタ（Ｍ）の反射光となる。
【００４０】
さらに、裏面電極２１ｂに、強いマイナス電圧を印加するか、あるいは、表面電極１１のマイナス電位を減少させることにより、マゼンタ（Ｍ）色の色粒子群３０Ｍも裏面電極２１ｂに向って移動し付着する。これにより、表面電極１１上には粒子群がなくなり、原稿の読取が可能となる。
【００４１】
さらに、表面電極１１にプラス電圧を印加し、裏面電極２１ａのプラス電位を減少させることにより、白色の粒子群３０Ｗが表面電極１１に向って移動し付着する。これにより、表面電極１１上は白色の粒子群３０Ｗのみとなり、白色の反射光となる。あるいは、表面電極１１に弱いマイナス電圧を印加することにより、プラスの帯電量の大きなイエロー（Ｙ）色の色粒子群３０Ｙのみが表面電極１１に向って移動し付着する。これにより、表面電極１１上はイエロー（Ｙ）色の色粒子群３０Ｙのみとなり、イエロー（Ｙ）の反射光となる。
【００４２】
［第４の実施の形態］
本発明の第４の実施の形態に係る画像読取装置１は、図６に示すように、粒子群３０として、マゼンタ（Ｍ）色の色粒子群３０Ｍ、イエロー（Ｙ）色の色粒子群３０Ｙ、シアン（Ｃ）の色粒子群３０Ｃ、および、白色の粒子群３０Ｗの４種類が光シャッタ部１００の内部に封入されている。その他の構成は第３の実施の形態と同様である。
【００４３】
ここで、シアン（Ｃ）の色粒子群３０Ｃは、表面電極１１と裏面電極２１ａまたは２１ｂ間に所定値以上の電界が生じると、その帯電特性が変化する性質を有している。すなわち、所定値以上の電界が生じると、表面電極１１、裏面電極２１ａまたは２１ｂからその電極に印加されたプラスまたはマイナスの電荷が注入され、そのプラスまたはマイナスの帯電特性を有する粒子群に変化する。
【００４４】
図６では、表面電極１１にマイナス電圧が印加されてマゼンタ（Ｍ）の色粒子群３０Ｍ、イエロー（Ｙ）の色粒子群３０Ｙおよびシアン（Ｃ）の色粒子群３０Ｃが付着し、一方、裏面電極２１ａにはプラス電圧が印加されて白色の粒子群３０Ｗが付着している様子を示している。この状態では、表面電極１１にはイエロー（Ｙ）、マゼンタ（Ｍ）およびシアン（Ｃ）の混合色であるクロ（Ｋ）の反射光となる。
【００４５】
図６の状態から、例えば、裏面電極２１ｂに、弱いマイナス電圧を印加することにより、プラスの帯電量の大きなイエロー（Ｙ）色の色粒子群３０Ｙのみが裏面電極２１ｂに向って移動し付着する。これにより、表面電極１１上はマゼンタ（Ｍ）色およびシアン（Ｃ）の混合色となり、ブルー（Ｂ）の反射光となる。
【００４６】
さらに、裏面電極２１ｂに、強いマイナス電圧を印加することにより、マゼンタ（Ｍ）色の色粒子群３０Ｍも裏面電極２１ｂに向って移動し付着する。これにより、表面電極１１上はシアン（Ｃ）の色粒子群３０Ｃのみとなり、シアン（Ｃ）の反射光となる。
【００４７】
［第５の実施の形態］
本発明の第５の実施の形態に係る画像読取装置１は、図７（ａ）に示すように、各粒子群に交番電界をかけるための表面補助電極１３と裏面補助電極２２が、表面基板１０および裏面基板２０上にそれぞれ形成されている。表面補助電極１３は、図７に示すように、表面電極１１の外周部に設けられ、裏面補助電極２２は、裏面電極２１ａ、２１ｂの内周部に設けられている。その他の構成は第１の実施の形態と同様である。
【００４８】
図７（ａ）は、表面電極１１にプラス電圧が印加されて白色の粒子群３０Ｗが付着し、一方、裏面電極２１ａにはマイナス電圧が印加されて色粒子群３０Ｍが付着している様子を示している。
【００４９】
図７（ａ）の状態から、原稿読取りのために、表面電極１１上の白色の粒子群３０Ｗを移動させるには、図７（ｂ）に示すように、表面電極１１と裏面補助電極２２の間に交流電圧を印加して交番電界を発生させる。この交番電界により、帯電した粒子（粒子群３０Ｗ、粒子群３０Ｍ）は、矢印Ａ方向に移動して、表面補助電極１３または裏面電極２１ａ、２１ｂ上に付着する。ここでは、表面補助電極１３および裏面電極２１ａ、２１ｂを高インピーダンス（Ｈｉ−Ｚ）状態としているので、これらの電極上には２種類の粒子がランダムに付着する。
【００５０】
上記の動作において、図７（ｃ）に示すように、表面補助電極１３に、例えば、マイナス電圧を印加しておけば色粒子群３０Ｍが付着し、一方、裏面電極２１ａ、２１ｂにプラス電圧を印加しておけば白色の粒子群３０Ｗが付着する。
【００５１】
図７（ｂ）または図７（ｃ）の状態から、例えば、表面電極１１上に白色の粒子群３０Ｗを移動して付着させて図７（ａ）の状態にするには次のようにする。表面補助電極１３と裏面補助電極２２の間に交流電圧を印加して交番電界を発生させる。この交番電界により、粒子群は矢印Ｂ方向に振動するが、表面電極１１にプラス電圧を印加しておくことで白色の粒子群３０Ｗが付着し、裏面電極２１ａ、２１ｂにマイナス電圧を印加しておくことで色粒子群３０Ｍが付着する。
【００５２】
この第５の実施の形態によれば、粒子群を振動させながら表面電極１１に移動させ、または、表面電極１１から拡散させることができるので、粒子群の高速移動が可能となる。
【００５３】
（画像読取装置１のシェーディング補正動作、画像読取動作）
図８は、本発明の実施の形態に係る画像読取装置１のシェーディング補正動作および画像読取動作を示すフローチャートである。
【００５４】
まず、黒基準補正を行なう。光源５０をＯＦＦにして筐体２の内部を無照明の状態にすることで、受光部７０により黒基準データを取得してこれに基づいて黒基準補正を行ない（Ｓ１）、黒基準データをデータ格納部８０に格納する（Ｓ２）。
光源５０をＯＮにして照明点灯を行う（Ｓ３）。白粒子を光路に移動し（Ｓ４）光源５０からの反射光を受光部７０により受光して白基準読み取りを行ない（Ｓ５）、白基準データをデータ格納部８０に格納する（Ｓ６）。
【００５５】
次に、各色表示を行なう（Ｓ７）。第１〜５の実施の形態で示した方式によりカラー基準データを取得する色の粒子群を表面電極１１上に移動させて付着させる。各色基準色読み取りを行ない（Ｓ８）、各色基準データをデータ格納部８０に格納する（Ｓ９）。必要な色を格納できたかを判断し、できてない場合はＳ７に戻り、できている場合は次のステップに進む（Ｓ１０）。
【００５６】
第１〜５の実施の形態で示した方式により粒子をセンサ光路から除去し（Ｓ１１）、原稿搬送を開始（Ｓ１２）して原稿読み取りを行なう（Ｓ１３）。データ格納部８０の各補正データから階調値算出を算出（Ｓ１４）し、これに基づいて原稿階調データを生成してデータ処理部９０に出力する（Ｓ１５）。
【００５７】
他に原稿あるかどうかを判断（Ｓ１６）し、ある場合は、光源温度、経過時間、機器センサ情報収集（Ｓ１７）の結果に基づいて再補正必要かどうかを判断する（Ｓ１８）。再補正必要の場合は補正色決定を行ないＳ７に戻り、再補正の必要がない場合はＳ１２に戻る。Ｓ１６において他に原稿がない場合は、一連のシェーディング補正動作および画像読取動作を終了する。
【００５８】
本発明は、上記の各実施の形態に限られず、趣旨を逸脱しない範囲で適宜変更が可能である。また、上記の各実施の形態ではスキャナに適用する場合について説明したが、本発明はこれに限定されず、複写機、プリンタ又はファクシミリに適用しても勿論よく、複写機、プリンタ，スキャナ及びファクシミリ等のうち少なくも２つを組み合わせてなる複合機に適用してもよい。
【符号の説明】
【００５９】
１…画像読取装置、２…筐体、３…原稿配置面、４…原稿、１０…表面基板、１１…表面電極、１２…空乏部、１３…表面補助電極、２０…裏面基板、２１ａ、２１ｂ…裏面電極、２２…裏面補助電極、３０、３０Ｗ、３０Ｙ、３０Ｍ、３０Ｃ…粒子群、４０…光シャッタ駆動回路、５０…光源、６０…集光レンズ、７０…受光部、８０…データ格納部、９０…データ処理部、１００…光シャッタ部
【図１】
2011010026.tif 000003
【図２】
2011010026.tif 000004
【図３】
2011010026.tif 000005
【図４】
2011010026.tif 000006
【図５】
2011010026.tif 000007
【図６】
2011010026.tif 000008
【図７】
2011010026.tif 000009
【図８】
2011010026.tif 000010